(57)【特許請求の範囲】
【請求項１】
支持部と、第１のリード端子と、第２のリード端子とが一体として形成され、当該第１のリード端子と第２のリード端子とが向い合う位置とされ得る、又は向い合う位置にあるよう形成されるリードフレームであって、
上記支持部は、上記第１及び第２のリード端子を直接支持する一の支持部と、当該支持部を支持する別の支持部を有し、
上記別の支持部と第１のリード端子及び第２のリード端子とが、同じ方向に伸び、
第１及び第２のリード端子の先端部分がテーパー形状をなしていることを特徴とするリードフレーム。
【請求項２】
曲げ加工可能な導電性板に切込み又は切欠きが存在することにより、支持部とリード端子部とが一体として形成されることを特徴とする請求項１記載のリードフレーム。
【請求項３】
支持部が、リードフレームの連結片として機能することを特徴とする請求項１又は２記載のリードフレーム。
【請求項４】
向い合う第１のリード端子と、第２のリード端子との距離が、絶縁基板介在部よりも非介在部の方が大きいことを特徴とする請求項１〜３のいずれかに記載のリードフレーム。
【請求項５】
絶縁基板に電子部品要素を形成する第１の工程と、当該第１の工程により絶縁基板の一の端の両面に形成される基板端子部それぞれに対し請求項１〜４のいずれかに記載のリードフレームにかかる第１のリード端子及び第２のリード端子を、当該一の端にて互いに絶縁状態を保ちつつ当接若しくは当接に準じた対向状態とする第２の工程と、当該当接若しくは当接に準じた対向状態とした部分を溶融はんだに接触させる第３の工程と、第１のリード端子及び第２のリード端子をそれぞれ一の支持部から切り離す第４の工程を有し、第１〜４の工程をこの順に実施することを特徴とする電子部品の製造法。
【請求項６】
絶縁基板に電子部品要素を形成する第１１の工程と、
当該第１１の工程により絶縁基板の一の端の一方の面に形成される複数の基板端子部それぞれに対し、請求項１〜４のいずれかに記載のリードフレームにかかる第１のリード端子を当接若しくは当接に準じた対向状態とし、且つ当該一の端の他方の面に形成される複数の基板端子部それぞれに、第２のリード端子を当接若しくは当接に準じた対向状態とする第１２の工程と、
当該当接若しくは当接に準じた対向状態とした部分を溶融はんだに接触させる第１３の工程と、
第１のリード端子及び第２のリード端子をそれぞれ一の支持部から切り離す第１４の工程を有し、
第１１〜１４の工程をこの順に実施することを特徴とする電子部品の製造法。
【発明の詳細な説明】
【０００１】
【発明の属する技術分野】
本発明は絶縁基板に固定して用いるリードフレームと、混成集積回路や多連抵抗器等の、リードフレームを使用する電子部品の製造法に関するものである。
【０００２】
【従来の技術】
アルミナ等からなる絶縁基板表面に回路素子を形成し、当該回路素子から導出され基板端に形成される基板端子部に当接されるリード端子を有する電子部品については、従来から種々の検討がなされている。
【０００３】
最も一般的なリード端子形状は、特開昭６０−２４４００１号公報等に開示されているように、先端がＹ字状のものである（図１０）。当該Ｙ字状部分が基板端の基板端子部２４と当接しながら絶縁基板２１を挟み、締めつけることにより電気接続をある程度確実にし、また当該締めつけによって絶縁基板２１とリード端子２５とが容易に離れることなく、通常の必須工程であるはんだディップ工程に供することができる。
【０００４】
ここで一般にはんだディップ工程では、リード端子２５が絶縁基板２１を締めつける力が弱い場合には、リード端子２５が絶縁基板２１から外れてしまうおそれがある。その理由は、はんだディップ工程が、当該リード端子２５及び絶縁基板２１で溶融はんだを軽く攪拌するに略等しい工程であり、当該リード端子２５が絶縁基板２１を締めつけている部分に負荷がかかるためである。前記はんだディップ工程を経た基板端子部２４とリード端子２５とは、はんだの固着力により強固に固定されることとなる。
【０００５】
尚、前記Ｙ字状のリード端子の分岐した先端部分は、分岐された２本のリード端子部分が各々独立にリード端子として機能するのではなく、分岐された２本のリード端子部分は、各々一体としてのみ機能する。それは分岐がなされていない部分が一体としてのみ機能していることからも明らかである。
【０００６】
【発明が解決しようとする課題】
上記従来のリード端子２５形状である、先端Ｙ字状のものは、当該リード端子２５が取り付けられる基板端における一つの基板端子部２４との電気接続を担うこととなる。またリード端子２５は必ず２以上必要であり、それらは相互の短絡予防のため、一の基板端において一定間隔を設けて設置される。従って絶縁基板２１サイズが制限される条件下での通常の電子部品設計は、電子部品のリード端子２５数が制限される条件下での電子部品設計と同義となる。リード端子２５数が制限されると、当然に電子部品の機能やその設計の自由度にも制限が課せられることとなる。
【０００７】
そこで本発明が解決しようとする第１の課題は、リードフレームを用いて製造されるリード端子を有する電子部品の機能やその設計の自由度を高めることである。また本発明が解決しようとする第２の課題は、第１の課題を解決するに適したリードフレームを提供することである。
【０００８】
上記第１の課題を解決するための本発明の請求項５記載の電子部品の製造法は、絶縁基板１に電子部品要素を形成する第１の工程と、当該第１の工程により絶縁基板１の一の端の両面に形成される基板端子部３それぞれに対し、本発明のリードフレーム１０（詳細は後述）にかかる第１のリード端子２ａ及び第２のリード端子２ｂを、当該一の端にて互いに絶縁状態を保ちつつ当接若しくは当接に準じた状態とする第２の工程と、当該当接若しくは当接に準じた対向状態とした部分を溶融はんだに接触させる第３の工程と、第１のリード端子及び第２のリード端子をそれぞれ一の支持部１１から切り離す第４の工程を有し、第１〜４の工程をこの順に実施することを特徴とする。
【０００９】
ここで基板端子部３とは、絶縁基板１に厚膜技術等で形成された電子部品の端子として機能する部分である。またリード端子２とは、基板端子部３と回路板等とを電気接続・固定する目的で設けられる介在物である。またリード端子２は通常鉄表面にニッケルめっきし、更にその表面をはんだめっきしたものが使用されている。
【００１０】
また絶縁基板１は、例えばアルミナ等のセラミック材料、チタン酸バリウム等の誘電体材料、ガラス繊維混入エポキシ樹脂成形材料、フェノール樹脂成形材料等である。
【００１１】
上記本発明の電子部品の製造法により得られたリード端子２付き電子部品は、絶縁基板１の一の端の表裏に形成される第１のリード端子２ａと第２のリード端子２ｂとを別個のリード端子２として取り扱うことができる。このことは従来の先端Ｙ字状のリード端子の使用では事実上不可能だった。つまり本発明により、絶縁基板１の一の端の表裏面にそれぞれ別に存在する基板端子部３の短絡を許容できない回路構成を有している場合であっても、その電子部品を構成することが可能となる。すると同じサイズの絶縁基板１を使用した場合、従来に比して単純計算で２倍のリード端子２を設けることが可能となる。従って本発明により、電子部品の機能やその設計の自由度を高めることができ、上記第１の課題を解決できた。
【００１２】
ここで絶縁基板１の一の端表裏に配された第１のリード端子２ａと第２のリード端子２ｂとを当該一の端において絶縁する手段は、当該一の端における絶縁基板１端面に導電性物質が存在しないよう清浄さを維持する手段や、当該一の端における第１のリード端子２ａと第２のリード端子２ｂとの間に絶縁物（絶縁基板１を除く）を介在させる手段等である。
【００１３】
またここで一の端とは、例えば方形の絶縁基板１を用いる場合は、その一辺に相当する絶縁基板１端部のことであり、また方形に類似する形状や１つ以上の辺を有する平面形状の場合は、当該辺に相当する絶縁基板１端部を言う。
【００１４】
また上記本発明にかかる電子部品の構成において、絶縁基板１の一の端以外の端部、スルーホール６部又は切り欠き部において当該絶縁基板１両面が導通されることが好ましい。このことにより絶縁基板１表裏に亘る複雑なネットワーク回路等を容易に構成できる。例えば図１０（ａ）に示すような回路構成の電子部品（実開昭５７−９７９０２号公報）は、絶縁基板２１の片面にのみ回路素子パターン形成することは必ずしも適当でない場合がある。即ち絶縁基板２１両面に亘って回路素子パターンを形成すれば当該絶縁基板２１面積を小さくすることができ、電子部品材料の過剰使用抑制や、電子部品の小型化にも資する利点が得られる。つまり上記本発明にかかる電子部品の構成を基本とした好ましい構成の採用によってこれら利点を容易に得ることができる。
【００１５】
上記第１の工程は、絶縁基板１にスクリーン印刷法、塗布法等の厚膜技術、導電板を貼付した後の当該導電板の部分エッチング（サブストラクト法）技術や、完成した電子部品、例えば抵抗器、コイル、コンデンサ、発光素子部品、又は圧電素子部品等と搭載する技術や、めっき法、スパッタリング、ＣＶＤ、その他の薄膜技術等を活用して、電子部品が機能するに必要な電子部品要素を形成する工程である。かかる電子部品要素を形成するのは、絶縁基板１面、絶縁基板１に設けられたスルーホール６内壁面、絶縁基板１端面や絶縁基板１切り欠き端面等である。図２（ａ）〜（ｃ）は、第１の工程を絶縁基板１にスクリーン印刷法により抵抗素子を形成する過程を例示している。
【００１６】
上記第２の工程は、第１の工程により得られた基板端子部３を、第１のリード端子２ａ及び第２のリード端子２ｂと、当接若しくは当接に準じた対向状態とする工程である。ここで「当接に準じた対向状態とした部分」とは、後工程（第３の工程）である、基板端子部３と第１のリード端子２ａ及び第２のリード端子２ｂとを溶融はんだに接触させる工程において、当該接触後固化したはんだにより、基板端子部３と第１のリード端子２ａ及び第２のリード端子２ｂとが強固に固着・電気接続され得る程度にまで接近した状態となった、基板端子部３と第１のリード端子２ａの双方、及び基板端子部３と第２のリード端子２ｂとの双方のことである。
【００１７】
上記第３の工程は、当接若しくは当接に準じた対向状態とした部分を溶融はんだに接触させる工程である。当該接触手段としては、いわゆるはんだディップや、必要箇所のみを接触させることが可能な、いわゆる噴流はんだ等の手段がある。
【００１８】
上記第４の工程は、本発明にかかる電子部品がその製造において、図３に示すようないわゆるリードフレーム１０を用いる際に要する工程である。一の支持部１１は電子部品になった後には不要な部材であり、その製造工程における利便性のためのみに存在するためである。本工程での、リード端子２を支持部から切り離す手段は、例えば押し切り式裁断機を用いる切断や、回転式ディスクカッターを用いた切断等である。
【００１９】
上記本発明の電子部品の製造法において、第１のリード端子２ａの当該当接若しくは当接に準じた対向状態とした部分及び第２のリード端子２ｂの当該当接部分を固定する工程が第２の工程と第３の工程との間に実施されることが好ましい。
【００２０】
上記固定する工程は、第２の工程で当接若しくは当接に準じた対向状態とした、基板端子部３と第１のリード端子２ａ及び第２のリード端子２ｂとを溶接等の手段で固定する工程である。またこの工程は、後の第３の工程における溶融はんだとの接触によっても基板端子部３と第１のリード端子２ａ及び第２のリード端子２ｂとの極端な位置ずれを予防するための工程である。前記固定には、溶接による固定以外に、導電性接着剤や非導電性接着剤の使用による固定や、基板端子部３とリード端子２との治具等の使用による押圧固定等がある。これらの中では、固定の確実性及び固定作業に要する時間が短くて済む利点を有している溶接による固定が好ましい。従来の先端Ｙ字状リード端子２５の使用の際には、当該Ｙ字状部分が絶縁基板２１端を強固に締め付けており、溶融はんだとの接触によって基板端子部２４とリード端子２５との位置ずれが生じるおそれが殆どなかったため、この第３の工程に相当する工程を必要としなかった。しかし本発明では先端Ｙ字状リード端子２５の使用を前提としていないため必要に応じてなされる工程である。
【００２１】
また上記第１の課題を解決するための本発明の請求項６記載の電子部品の製造法は、絶縁基板１に電子部品要素を形成する第１１の工程と、当該第１１の工程により絶縁基板１の一の端の一方の面に形成される複数の基板端子部３それぞれに対し、本発明のリードフレーム１０（詳細は後述）にかかる第１のリード端子２ａを当接若しくは当接に準じた対向状態とし、且つ当該一の端の他方の面に形成される複数の基板端子部３それぞれに、第２のリード端子２ｂを当接若しくは当接に準じた対向状態とする第１２の工程と、当該当接若しくは当接に準じた対向状態とした部分を溶融はんだに接触させる第１３の工程と、第１のリード端子２ａ及び第２のリード端子２ｂをそれぞれ一の支持部１１から切り離す第１４の工程を有し、第１１〜１４の工程をこの順に実施することを特徴とする。
【００２２】
第１１の工程は第１の工程と同内容である。第１２の工程は第２の工程と略同内容である。但し第１２の工程は第２の工程に、前述のように絶縁基板１単体に第１のリード端子２ａ及び第２のリード端子２ｂをそれぞれ複数用いる点が明確にされている。第１３の工程は第３の工程と同内容である。第１４の工程は第４の工程と同内容である。同内容でない点における用語の意味や各構成要素がもたらす作用等は共通している。
【００２３】
第１１〜１４の工程で構成される本発明の電子部品の製造法において、第１のリード端子２ａと基板端子部３との当接若しくは当接に準じた対向状態とした部分の少なくとも１箇所、及び第２のリード端子２ｂと基板端子部３との当接部分の少なくとも１箇所を固定する工程が第１２の工程と第１３の工程との間に実施されることが好ましい。
【００２４】
前記固定する工程と、第１〜４の工程で構成される本発明の電子部品の製造法に基づく、前述した固定する工程とは略同内容である。第１１〜１４の工程で構成される本発明の電子部品の製造法に基づく前記固定する工程では、第１のリード端子２ａと基板端子部３との当接部分及び、第２のリード端子２ｂと基板端子部３との当接部分がそれぞれ単位絶縁基板１に複数存在しているため、当該複数の当接部分の全てを固定する必要がない点を明確にしている。これは同一のリードフレーム１０の支持部１１と第１のリード端子２ａ及び第２のリード端子２ｂとが一体化されていることによる。同内容でない点における用語の意味や各構成要素がもたらす作用等は共通している。
【００２５】
上記第２の課題を解決するための本発明のリードフレーム１０は、支持部１１と、第１のリード端子２ａと、第２のリード端子２ｂとが一体として形成され、当該第１のリード端子２ａと第２のリード端子２ｂとが向い合う位置とされ得る、又は向い合う位置にあるよう形成されるリードフレーム１０であって、上記支持部は、上記第１及び第２のリード端子を直接支持する一の支持部１１と、当該支持部１１を支持する別の支持部を有し、上記別の支持部と第１のリード端子２ａ及び第２のリード端子２ｂとが、実質的に同じ方向に伸び、第１及び第２のリード端子の先端部分がテーパー形状をなしていることを特徴とする。
【００２６】
上記「向い合う位置」とは、「対向位置」と略同義であるが、第１のリード端子２ａと第２のリード端子２ｂとが対向しているとは言えない程度まで位置がずれている場合も含む。例えば両者が千鳥状のような互い違いの配列となっている場合等をも含む。
【００２７】
また「向い合う位置にし得る」とは、第１のリード端子２ａと第２のリード端子２ｂとが、後に施される曲げ加工等にて向い合う位置になることが可能な状態を言う。
【００２８】
上記本発明のリードフレーム１０は、例えば支持部１１と第１のリード端子２ａと第２のリード端子２ｂとが、当初別部材だったものを溶接等で一体として形成されているものを含む。
【００２９】
上記、第１のリード端子２ａと第２のリード端子２ｂとを向い合う位置にし得る、又は向い合う位置にあることにより、本発明のリードフレーム１０を用いて前述した第２の工程や第１２の工程を実施できる。即ち絶縁基板１の一の端の両面に形成される基板端子部３それぞれに対し、第１のリード端子２ａ及び第２のリード端子２ｂを、当該一の端にて互いに絶縁状態を保ちつつ当接若しくは当接に準じた状態とすることができる。しかも本発明のリードフレーム１０は、支持部１１と、第１のリード端子２ａと、第２のリード端子２ｂとが一体として形成されているため、一部材として取り扱うことができる等、取扱い性に優れていることから本発明の電子部品の製造法を実施するに適したリードフレームであると言える。従って本発明のリードフレーム１０により、第１の課題を解決するに適したリードフレームを提供することができる。
【００３０】
上記本発明のリードフレーム１０は、例えば曲げ加工可能な導電性板に切込み又は切欠きが存在することにより、支持部１１とリード端子２部とが一体として形成されるものである。具体的には曲げ加工可能な導電性板に切込み又は切欠きが存在することにより、支持部１１と第１のリード端子２ａと第２のリード端子２ｂとが一体として形成され、支持部１１及び／又はリード端子２部の屈曲により、第１のリード端子２ａと第２のリード端子２ｂとが向い合う位置にされるものである。
【００３１】
更に具体的には、例えば図３（ｂ）に示すように曲げ加工可能な導電性板端に第１のリード端子２ａが所定間隔に一体として形成され、当該導電性板に切込み又は切欠きが形成されることにより、一の支持部１１と第２のリード端子２ｂとが一体として形成され、図４（ａ）〜（ｄ）に示すように支持部１１及び／又は第２のリード端子部２ｂの屈曲により、第１のリード端子２ａと第２のリード端子２ｂとが向い合う位置にされるものである。
【００３２】
前記切込みや切欠きは導電性板への打抜き加工等で形成される。また導電性板は、鉄板表面にニッケルとはんだをこの順にめっき加工したものを用いるのが一般的であるが、これに限定されないことは言うまでもない。打抜き加工やその後の曲げ加工等が容易な金属板、例えばニッケルやアルミニウム板表面にはんだをめっき加工したもの等が好適に使用可能である。
【００３３】
【発明の実施の形態】
以下本発明の実施の形態を電子部品としての多連抵抗器の製造を例に説明する。
図２（ａ）に示すようなスルーホール６及び縦横に多数本の分割用溝９を有するアルミナ製の大型の基板８を用意する（図２では便宜上縦横に１本ずつの分割溝９を有する大型の基板８を示している。）。当該分割用溝９に沿って分割すると、個々の電子部品サイズの絶縁基板１となる。当該大型の基板８裏面に対し、導体（Ａｇ−Ｐｄ系メタルグレーズ）ペーストをいわゆるスルーホール印刷（スクリーン印刷技術）により形成し、それを焼成する。次に大型の基板８表面の各スルーホール６近辺に同様にスルーホール印刷により導体を形成し、それを焼成する（図２（ｂ））。
【００３４】
これで個々の基板端部にはその表面及び裏面にそれぞれ８つの基板端子部３が、また当該基板端部とは逆側の（対向する）基板端部には絶縁基板１表面と裏面とをスルーホール６内壁面を経由して導通させる中間電極７が形成された。次いで酸化ルテニウム系の抵抗体ペーストを図２（ｃ）に示すよう基板表裏面の基板端子部３と中間電極７間にスクリーン印刷し、焼成して抵抗体５を得る。次いで８つの抵抗体５全域を覆うようガラスペーストを基板表裏面にスクリーン印刷し、焼成してガラス４保護コートを得る。更にそれぞれの抵抗体５に対し一定の抵抗値になるようレーザトリミングを施す。その後前記分割用溝９を開く方向に応力付与し、大型の基板８を個々の絶縁基板１とする。
【００３５】
図３（ａ）には本例に用いるリードフレーム１０に用いる導電性板の打抜き加工前の正面図を示した。導電性板は、母材を鉄とし、その表面にニッケルめっき及びはんだめっきとをこの順に施した材料（総厚み０．２５ｍｍ）である。図３（ｂ）には打抜き加工後のリードフレーム１０正面図を示している。導電性板の上端部に第１のリード端子２ａが一定間隔に一体として形成されている。また打抜き加工によって形成された切欠き部Ａの残部として第２のリード端子２ｂが、第１のリード端子２ａが配される一定間隔と同じ一定間隔に、導電性板に一体として形成されている。ここで切欠き部Ａ、切欠き部Ｂ及び第１のリード端子２ａ及び第２のリード端子２ｂを除く導電性板が支持部１１となる。また、切欠き部Ａ及び導電性板上端の第１のリード端子２ａを形成するための切欠き部Ｂとの形成は、公知の金属板の打抜き加工による。一連の工程として、この打抜き加工と同時に第１のリード端子２ａ及び第２のリード端子２ｂの一部に曲げ加工（後述）を施す。これで一の支持部１１と、第１のリード端子２ａと、第２のリード端子２ｂとが一体として形成され、当該第１のリード端子２ａと第２のリード端子２ｂとを向い合う位置にし得るリードフレーム１０が得られた。
【００３６】
次に図４を参照しながらリードフレーム１０の曲げ加工工程について説明する。図４（ａ）は図３（ｂ）の側面図である。まず第１のリード端子２ａに連結している側の一の支持部１１周辺を固定した状態で逆の端の支持部１１に応力を付与して軽く撓ませる（図４（ｂ））。この撓みはリードフレーム１０の弾性変形を超えた塑性変形を伴うものではない。すると第１のリード端子２ａに連結している側の一の支持部１１と、第２のリード端子２ｂとの間に隙間が生じる。そこで当該隙間に曲げ加工用冶具Ａを挿入する（図４（ｂ））。当該挿入がなされたら前記応力の付与を解除して第２のリード端子以外が変形しないようリードフレーム１０の他の部分を固定する。そして当該曲げ加工用冶具Ａ並びに曲げ加工用冶具Ｂにより、第１のリード端子２ａと第２のリード端子２ｂとを向い合う位置に加工する（図４（ｃ）（ｄ））。このとき第１のリード端子２ａと第２のリード端子２ｂ間距離は、電子部品完成時の規格値と一致又はそれよりも若干狭くする。また前述の打抜き加工工程との一連の工程としての曲げ加工により、第１のリード端子２ａと第２のリード端子２ｂとの先端部分がテーパー形状が形成されている。これで一の支持部１１と、第１のリード端子２ａと、第２のリード端子２ｂとが一体として形成され、当該第１のリード端子２ａと第２のリード端子２ｂとを向い合う位置にあるリードフレーム１０が得られた。
【００３７】
次に基板端子部３とリード端子２との接続工程について説明する。絶縁基板１の基板端子部３が配されている端と対向する側の端を挟持用部材により挟持して、基板端子部３がリード端子と当接又は当接に順じた対向状態とするため、リードフレーム１０の上記テーパー形状を利用して基板端子部３を第１のリード端子２ａと第２のリード端子２ｂ間に挿入する（図５）。このとき絶縁基板１の挿入深さが一定となるよう台座をストッパ代わりに使用する。この時点で、絶縁基板１は第１のリード端子２ａと第２のリード端子２ｂとの圧接力で保持されている。この操作終了後、台座は除去される。
【００３８】
次に図６に示すリード端子２と基板端子部３との溶融はんだ接触工程について説明する。リードフレーム１０を上、絶縁基板１を下側にし、支持部１１を支持してフラックス溶液と基板端子部３及びリード端子２が十分接触するようフラックス溶液槽中に絶縁基板１を浸漬する。次いで同様に支持部１１を支持して、第１のリード端子２ａ及び第２のリード端子２ｂと基板端子部３との当接又は当接に準じた対向状態部分が溶融はんだに十分接触するよう、溶融はんだ槽中に絶縁基板１を浸漬する。これら浸漬工程中は、前記圧接力により絶縁基板１が保持されているため、リードフレーム１０から絶縁基板１が外れることはなかった。これら浸漬工程を経ることにより、リード端子２と基板端子部３とがはんだにより強固に固着され、機械的・電気的接続が確実になされる。
【００３９】
次に同様に図６により、保護コーティング層形成工程について説明する。リードフレーム１０を上、絶縁基板１を下側にし、支持部１１を支持してエポキシ系樹脂ペースト槽に僅かに絶縁基板１が完全に浸漬し、リード端子２部が殆ど浸漬しないよう浸漬させる。その後リードフレーム１０及び絶縁基板１を当該ペーストから引き上げ、加熱することにより当該ペーストを硬化させた。これで絶縁基板１面に形成した電子部品要素を保護するコーティング層が形成された。
【００４０】
このようにリードフレーム１０を上に、絶縁基板１を下にし、支持部１１を支持してフラックス溶液浸漬工程から保護コーティング層形成工程までを同様の動作で実施できることは、製造設備を簡素化することとなり、製造工程設計上極めて好ましいと言える。
【００４１】
次にリードフレーム１０からリード端子２を切り離す工程（裁断処理工程）について図７を用いて説明する。第１のリード端子２ａの外側、第１のリード端子２ａと第２のリード端子２ｂとの間、及び第２のリード端子２ｂの外側にそれぞれ固定用冶具を配置し、リード端子２を押圧するようにして固定する。その固定を維持した状態で、回転ディスクカッターによりリードフレーム１０からリード端子２を切り離した。このとき当該回転ディスクカッターがリード端子２に与える振動は、固定用冶具により吸収され、リード端子２と基板端子部３との接続界面へは殆ど伝播することは殆どない。この工程が終了することにより、本発明の電子部品の製造法が終了し、図１に示した本発明にかかる電子部品を得ることができる。
【００４２】
図１に示した電子部品は、いわゆる多連抵抗器である。これと同一の機能を従来の先端Ｙ字形状リード端子２５を用いて実現しようとすると、図１０（ｂ）に示す実開昭６１−１１１１０４号公報に開示された技術等を採用する必要がある。即ち図１０（ｂ）では絶縁基板２１の一の端及びそれと対向する他端の双方に先端Ｙ字形状リード端子を装着し、他方の端に装着したリード端子２５を折り曲げている。この技術の採用により、確かに図１に示した多連抵抗器と同機能の電子部品を得ることができる。しかしながら仮にこれらを同一基板サイズで製造した場合には、抵抗素子の特性面で差異が生じてくることが考えられる。例えば、図１に示した抵抗素子は図１０（ｂ）に示した抵抗素子の約２倍の長さを有しているため、図１に示した抵抗素子は耐電力特性、耐電圧特性において有利であると言える。
【００４３】
また図１に示した電子部品と略同機能を実現し得ることを示唆している、実開昭５４−１７９４４９号公報に開示された電子部品の構成は、絶縁基板を２枚使用する必要がある点、その２枚の絶縁基板を連結する部材を必要とする点から、部品点数が多くする必要があり、本発明に比して不利であることは明らかである。
【００４４】
保護コーティング層形成工程終了後に裁断処理工程を実施した理由は、リード端子２が一般にハンドリング性（取扱い性）に劣り、僅かな応力が付与されただけでも曲がりやすいためである。そこでリードフレーム１０として（つまり連結片１１が付いた状態で）リード端子２を取り扱うと、前記応力が分散され個々のリード端子２に集中せず、リード端子２が曲がりにくくなる。リード端子２が曲がると製品の規格寸法からのずれが生じる。従って前記リードフレーム１０としてリード端子２を電子部品完成間近まで取り扱うことが好ましい。
【００４５】
また本例では電子部品として多連抵抗器について述べたが、絶縁基板１端にリード端子２を固定した形態の電子部品、例えばネットワーク抵抗器や混成集積回路と称される複合電子部品等にも好適に適用できることは言うまでもない。
【００４６】
また本例では保護コーティング層形成工程を設けているが、当該工程は必要に応じて設ける工程であり、必須の工程ではない。
【００４７】
尚、本例では溶融はんだ接触工程前に絶縁基板１をリードフレーム１０に固定させる手段として、第１のリード端子２ａと第２のリード端子２ｂとの絶縁基板１への圧接力のみによる保持とした。しかし、当該圧接力のみでは固定が不十分な場合には、単位絶縁基板１の片面につき少なくとも１箇所リード端子２と基板端子部３とを図８に示すスポット溶接にて固定強化させることが好ましい場合もある。しかしながら一連の工程を煩雑にしないためには、このような溶接工程を省くことが好ましい。
【００４８】
また本例では、基板端子部３とリード端子２との接続工程において図５に示すように、絶縁基板１の挿入深さが一定となるよう台座をストッパ代わりに使用した。しかし、リードフレーム１０に当初から絶縁基板１端部保持部材が一体として形成されていることが、台座等を配置や除去する工程が含まれず、製造が煩雑になるのを防止できることから好ましい。リードフレーム１０と絶縁基板１端部保持部材とが一体として形成されるためには、絶縁基板１端部保持部材が、支持部１１と、第１のリード端子２ａと、第２のリード端子２ｂと共に一体として形成される。当該一体としての形成には、当初別部材だった絶縁基板１端部保持部材が、支持部１１と、第１のリード端子２ａと、第２のリード端子２ｂを、溶接により一体とする形成等をも含む。
【００４９】
好ましい具体例としては、図９に示すように、第１のリード端子２ａ及び第２のリード端子２ｂ双方の一部に切込みが形成され、当該切込み部付近を屈曲することにより突出する切込み残部が、絶縁基板１端部保持部材となるようにする。このとき主な屈曲部は、図９における切込み部下端よりも僅かに上とする。また当該屈曲時には切込み部に曲げ応力が付与されないようにする。すると切込み残部が突出する。そしてその後基板端子部３付き絶縁基板１が、第１のリード端子２ａと第２のリード端子２ｂとの間に挿入される。すると基板端子部３付き絶縁基板１の下端が、絶縁基板１端部保持部材により支えられることとなる。
【００５０】
図９において、第１のリード端子２ａ及び第２のリード端子２ｂ（つまり双方のリード端子２）に絶縁基板１端部保持部材を形成したが、どちらか一方でもよい。その場合は切込み残部が同図より長くなるよう切込み部を形成する。また同図ではリード端子２に切込み部を形成したが、折り曲げのされ方によって、切込み残部が突出しない場合には、若干の幅の切欠き部として折り曲げ操作により切欠き残部が突出容易となるようにすることもできる。
【００５１】
尚、図９において折り曲げ前の状態が、第１のリード端子２ａ及び／又は第２のリード端子２ｂの一部に切欠き又は切込みが形成され、当該切欠き部付近又は切込み部付近を屈曲することにより突出する切欠き残部又は切込み残部が突出し、絶縁基板１端部保持部材となり得るリードフレーム１０の状態である。また図９において折り曲げ後の状態が、第１のリード端子２ａ及び／又は第２のリード端子２ｂの一部に切欠き又は切込みが形成され、当該切欠き部付近又は切込み部付近を屈曲することにより切欠き残部又は切込み残部が突出し、絶縁基板１端部保持部材となるリードフレーム１０の状態である。
【００５２】
【発明の効果】
本発明により、リードフレームを用いて製造されるリード端子を有する電子部品の機能やその設計の自由度を高めることができた。当該電子部品の製造に適したリードフレームを提供することができた。
【図面の簡単な説明】
【図１】本発明にかかる電子部品の正面図及びＡ−Ａ’断面図である。
【図２】（ａ）は本発明の電子部品の製造の際に用いられ得る大型の基板を示し、（ｂ）は大型の基板に導体を配した状態、（ｃ）は更に抵抗体及びガラスを配した状態を示している。
【図３】本発明のリードフレームを示す図である。
【図４】本発明のリードフレームを曲げ加工する状態の一例を示した図である。
【図５】本発明のリードフレームに絶縁基板を固定する様子を示す一例の図である。
【図６】本発明の電子部品の製造法における、フラックス浸漬工程等の概略図である。
【図７】本発明の電子部品の製造法における、リードフレーム裁断処理工程の様子を示す概略図である。
【図８】本発明の電子部品の製造法に用いられ得る溶接工程の概要を示す図である。
【図９】本発明のリードフレームを示す図であり、特に絶縁基板端部保持部材とその機能を示す図である。
【図１０】従来の先端Ｙ字状リード端子を用いた電子部品を示した図である。（ａ）及び（ｂ）左側は電子部品正面図を示し、（ｂ）右側は電子部品側面図を示している。
【符号の説明】
１．絶縁基板
２．リード端子
２ａ．第１のリード端子
２ｂ．第２のリード端子
３．基板端子部
４．ガラス
５．抵抗体
６．スルーホール
７．中間電極
８．大型の基板
９．分割用溝
１０．リードフレーム
１１．連結片、支持部
２１．絶縁基板
２２．導体
２３．抵抗体
２４．基板端子部
２５．リード端子
【図１】
0003601705.tif 000002
【図２】
0003601705.tif 000003
【図３】
0003601705.tif 000004
【図４】
0003601705.tif 000005
【図５】
0003601705.tif 000006
【図６】
0003601705.tif 000007
【図７】
0003601705.tif 000008
【図８】
0003601705.tif 000009
【図９】
0003601705.tif 000010
【図１０】
0003601705.tif 000011